【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定手段と、
前記判定手段において前記ウェブページが前記ユーザによって過去に閲覧されていないと判定された場合、予め定められた第１の演算により第１の価格を算出する価格算出手段と、
前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出手段と、
前記第１の価格が前記価値の基準を表す日常利用商品／サービスの前記第１の相当数分に相当することを表示させる第１の表示データを生成する生成手段と、
前記第１の表示データが含まれる前記ウェブページのデータを前記ユーザの端末装置に送信する送信手段と
を備え、
前記価格算出手段は、前記判定手段において前記ウェブページが前記ユーザによって過去に閲覧されたと判定された場合、予め定められた第２の演算により第２の価格を算出し、
前記相当数算出手段は、前記価値の基準を表す日常利用商品／サービスの価格で前記第２の価格を割り算することで、前記第２の価格に前記価値の基準を表す日常利用商品／サービスが相当する数である第２の相当数を算出し、
前記生成手段は、前記第２の価格が前記価値の基準を表す日常利用商品／サービスの前記第２の相当数分に相当することを表示させる第２の表示データを生成し、
前記送信手段は、前記第２の表示データが含まれる前記ウェブページのデータを前記ユーザの前記端末装置に送信する
情報提供装置。
【請求項２】
請求項１に記載の情報提供装置において、
前記判定手段は、前記ウェブページが前記ユーザによって過去の所定の期間において閲覧されたか否かを判定する
情報提供装置。
【請求項３】
請求項１に記載の情報提供装置において、
前記生成手段は、前記第１の相当数の前記価値の基準を表す日常利用商品／サービスの画像を表示させる前記第１の表示データまたは前記第２の相当数の前記価値の基準を表す日常利用商品／サービスの画像を表示させる前記第２の表示データを生成し、
前記送信手段は、前記第１の表示データまたは前記第２の表示データが含まれる前記ウェブページのデータを前記ユーザの前記端末装置に送信する
情報提供装置。
【請求項４】
請求項１〜３の何れか一項に記載の情報提供装置において、
前記第１または第２の表示データは、前記第１の価格、前記第１の相当数、前記価値の基準を表す日常利用商品／サービスに関する情報、及び前記価値の基準を表す日常利用商品／サービスの価格を含む
情報提供装置。
【請求項５】
ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定ステップと、
前記判定ステップにおいて前記ウェブページが前記ユーザによって過去に閲覧されていないと判定された場合、予め定められた第１の演算により第１の価格を算出する価格算出ステップと、
前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出ステップと、
前記第１の価格が前記価値の基準を表す日常利用商品／サービスの前記第１の相当数分に相当することを表示させる第１の表示データを生成する生成ステップと、
前記第１の表示データが含まれる前記ウェブページのデータを前記ユーザの端末装置に送信する送信ステップと
を含み、
前記価格算出ステップにおいて、前記判定ステップにおいて前記ウェブページが前記ユーザによって過去に閲覧されたと判定された場合、予め定められた第２の演算により第２の価格が算出され、
前記相当数算出ステップにおいて、前記価値の基準を表す日常利用商品／サービスの価格で前記第２の価格を割り算することで、前記第２の価格に前記価値の基準を表す日常利用商品／サービスが相当する数である第２の相当数が算出され、
前記生成ステップにおいて、前記第２の価格が前記価値の基準を表す日常利用商品／サービスの前記第２の相当数分に相当することを表示させる第２の表示データが生成され、
前記送信ステップにおいて、前記第２の表示データが含まれる前記ウェブページのデータが前記ユーザの前記端末装置に送信される
情報提供方法。
【請求項６】
ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定ステップと、
前記判定ステップにおいて前記ウェブページが前記ユーザによって過去に閲覧されていないと判定された場合、予め定められた第１の演算により第１の価格を算出する価格算出ステップと、
前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出ステップと、
前記第１の価格が前記価値の基準を表す日常利用商品／サービスの前記第１の相当数分に相当することを表示させる第１の表示データを生成する生成ステップと、
前記第１の表示データが含まれる前記ウェブページのデータを前記ユーザの端末装置に送信する送信ステップと
を含み、
前記価格算出ステップにおいて、前記判定ステップにおいて前記ウェブページが前記ユーザによって過去に閲覧されたと判定された場合、予め定められた第２の演算により第２の価格が算出され、
前記相当数算出ステップにおいて、前記価値の基準を表す日常利用商品／サービスの価格で前記第２の価格を割り算することで、前記第２の価格に前記価値の基準を表す日常利用商品／サービスが相当する数である第２の相当数が算出され、
前記生成ステップにおいて、前記第２の価格が前記価値の基準を表す日常利用商品／サービスの前記第２の相当数分に相当することを表示させる第２の表示データが生成され、
前記送信ステップにおいて、前記第２の表示データが含まれる前記ウェブページのデータが前記ユーザの前記端末装置に送信される
処理をコンピュータに実行させるプログラム。
【請求項７】
ウェブページの閲覧の履歴が格納されている閲覧履歴データベースから所定の商品を販売するための所定のウェブページが所定のユーザによって閲覧された回数を取得する回数取得手段と、
仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出手段と、
前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出手段と、
前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成手段と、
前記表示データが含まれる前記ウェブページのデータを前記ユーザの端末装置に送信する送信手段と
を備える情報提供装置。
【請求項８】
請求項７に記載の情報提供装置において、
前記回数取得手段は、前記閲覧履歴データベースから過去の所定の期間において前記ウェブページが前記ユーザによって閲覧された回数を取得する
情報提供装置。
【請求項９】
請求項７に記載の情報提供装置において、
前記生成手段は、前記相当数の前記価値の基準を表す日常利用商品／サービスの画像を表示させる前記表示データを生成し、
前記送信手段は、前記表示データが含まれる前記ウェブページのデータを前記ユーザの前記端末装置に送信する
情報提供装置。
【請求項１０】
請求項７〜９の何れか一項に記載の情報提供装置において、
前記表示データは、前記使用当たり価格、前記相当数、前記価値の基準を表す日常利用商品／サービスに関する情報、及び前記価値の基準を表す日常利用商品／サービスの価格を含む
情報提供装置。
【請求項１１】
ウェブページの閲覧の履歴が格納されている閲覧履歴データベースから所定の商品を販売するための所定のウェブページが所定のユーザによって閲覧された回数を取得する回数取得ステップと、
仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出ステップと、
前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出ステップと、
前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成ステップと、
前記表示データが含まれる前記ウェブページのデータを前記ユーザの端末装置に送信する送信ステップと
を含む情報提供方法。
【請求項１２】
ウェブページの閲覧の履歴が格納されている閲覧履歴データベースから所定の商品を販売するための所定のウェブページが所定のユーザによって閲覧された回数を取得する回数取得ステップと、
仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出ステップと、
前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出ステップと、
前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成ステップと、
前記表示データが含まれる前記ウェブページのデータを前記ユーザの端末装置に送信する送信ステップと
を含む処理をコンピュータに実行させるプログラム。
【手続補正２】
【補正対象書類名】明細書
【補正対象項目名】０００７
【補正方法】変更
【補正の内容】
【０００７】
本発明の第１の側面の情報提供装置は、ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定手段と、前記判定手段において前記ウェブページが前記ユーザによって過去に閲覧されていないと判定された場合、予め定められた第１の演算により第１の価格を算出する価格算出手段と、前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出手段と、前記第１の価格が前記価値の基準を表す日常利用商品／サービスの前記第１の相当数分に相当することを表示させる第１の表示データを生成する生成手段と、前記第１の表示データが含まれる前記ウェブページのデータを前記ユーザの端末装置に送信する送信手段とを備え、前記価格算出手段は、前記判定手段において前記ウェブページが前記ユーザによって過去に閲覧されたと判定された場合、予め定められた第２の演算により第２の価格を算出し、前記相当数算出手段は、前記価値の基準を表す日常利用商品／サービスの価格で前記第２の価格を割り算することで、前記第２の価格に前記価値の基準を表す日常利用商品／サービスが相当する数である第２の相当数を算出し、前記生成手段は、前記第２の価格が前記価値の基準を表す日常利用商品／サービスの前記第２の相当数分に相当することを表示させる第２の表示データを生成し、前記送信手段は、前記第２の表示データが含まれる前記ウェブページのデータを前記ユーザの前記端末装置に送信する。
【手続補正３】
【補正対象書類名】明細書
【補正対象項目名】０００９
【補正方法】変更
【補正の内容】
【０００９】
前記生成手段には、前記第１の相当数の前記価値の基準を表す日常利用商品／サービスの画像を表示させる前記第１の表示データまたは前記第２の相当数の前記価値の基準を表す日常利用商品／サービスの画像を表示させる前記第２の表示データを生成させ、前記送信手段には、前記第１の表示データまたは前記第２の表示データが含まれる前記ウェブページのデータを前記ユーザの前記端末装置に送信させることができる。
前記第１または第２の表示データは、前記第１の価格、前記第１の相当数、前記価値の基準を表す日常利用商品／サービスに関する情報、及び前記価値の基準を表す日常利用商品／サービスの価格を含んでいてもよい。
【手続補正４】
【補正対象書類名】明細書
【補正対象項目名】００１０
【補正方法】変更
【補正の内容】
【００１０】
本発明の第１の側面の情報提供方法は、ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定ステップと、前記判定ステップにおいて前記ウェブページが前記ユーザによって過去に閲覧されていないと判定された場合、予め定められた第１の演算により第１の価格を算出する価格算出ステップと、前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出ステップと、前記第１の価格が前記価値の基準を表す日常利用商品／サービスの前記第１の相当数分に相当することを表示させる第１の表示データを生成する生成ステップと、前記第１の表示データが含まれる前記ウェブページのデータを前記ユーザの端末装置に送信する送信ステップとを含み、前記価格算出ステップにおいて、前記判定ステップにおいて前記ウェブページが前記ユーザによって過去に閲覧されたと判定された場合、予め定められた第２の演算により第２の価格が算出され、前記相当数算出ステップにおいて、前記価値の基準を表す日常利用商品／サービスの価格で前記第２の価格を割り算することで、前記第２の価格に前記価値の基準を表す日常利用商品／サービスが相当する数である第２の相当数が算出され、前記生成ステップにおいて、前記第２の価格が前記価値の基準を表す日常利用商品／サービスの前記第２の相当数分に相当することを表示させる第２の表示データが生成され、前記送信ステップにおいて、前記第２の表示データが含まれる前記ウェブページのデータが前記ユーザの前記端末装置に送信される。
【手続補正５】
【補正対象書類名】明細書
【補正対象項目名】００１１
【補正方法】変更
【補正の内容】
【００１１】
本発明の第１の側面のプログラムは、ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定ステップと、前記判定ステップにおいて前記ウェブページが前記ユーザによって過去に閲覧されていないと判定された場合、予め定められた第１の演算により第１の価格を算出する価格算出ステップと、前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出ステップと、前記第１の価格が前記価値の基準を表す日常利用商品／サービスの前記第１の相当数分に相当することを表示させる第１の表示データを生成する生成ステップと、前記第１の表示データが含まれる前記ウェブページのデータを前記ユーザの端末装置に送信する送信ステップとを含み、前記価格算出ステップにおいて、前記判定ステップにおいて前記ウェブページが前記ユーザによって過去に閲覧されたと判定された場合、予め定められた第２の演算により第２の価格が算出され、前記相当数算出ステップにおいて、前記価値の基準を表す日常利用商品／サービスの価格で前記第２の価格を割り算することで、前記第２の価格に前記価値の基準を表す日常利用商品／サービスが相当する数である第２の相当数が算出され、前記生成ステップにおいて、前記第２の価格が前記価値の基準を表す日常利用商品／サービスの前記第２の相当数分に相当することを表示させる第２の表示データが生成され、前記送信ステップにおいて、前記第２の表示データが含まれる前記ウェブページのデータが前記ユーザの前記端末装置に送信される処理をコンピュータに実行させる。
【手続補正６】
【補正対象書類名】明細書
【補正対象項目名】００１２
【補正方法】変更
【補正の内容】
【００１２】
本発明の第１の側面においては、ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かが判定され、ウェブページがユーザによって過去に閲覧されていないと判定された場合、予め定められた第１の演算により第１の価格が算出され、商品に対応して価値の基準を表す日常利用商品／サービス及びその価格が予め決められており、当該価値の基準を表す日常利用商品／サービスの価格で第１の価格を割り算することで、第１の価格に価値の基準を表す日常利用商品／サービスが相当する数である第１の相当数が算出され、第１の価格が価値の基準を表す日常利用商品／サービスの第１の相当数分に相当することを表示させる第１の表示データが生成され、第１の表示データが含まれるウェブページのデータがユーザの端末装置に送信され、ウェブページがユーザによって過去に閲覧されたと判定された場合、予め定められた第２の演算により第２の価格が算出され、価値の基準を表す日常利用商品／サービスの価格で第２の価格を割り算することで、第２の価格に価値の基準を表す日常利用商品／サービスが相当する数である第２の相当数が算出され、第２の価格が価値の基準を表す日常利用商品／サービスの第２の相当数分に相当することを表示させる第２の表示データが生成され、第２の表示データが含まれるウェブページのデータがユーザの端末装置に送信される。
【手続補正７】
【補正対象書類名】明細書
【補正対象項目名】００１３
【補正方法】変更
【補正の内容】
【００１３】
本発明の第２の側面の情報提供装置は、ウェブページの閲覧の履歴が格納されている閲覧履歴データベースから所定の商品を販売するための所定のウェブページが所定のユーザによって閲覧された回数を取得する回数取得手段と、仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出手段と、前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出手段と、前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成手段と、前記表示データが含まれる前記ウェブページのデータを前記ユーザの端末装置に送信する送信手段とを備える。
【手続補正８】
【補正対象書類名】明細書
【補正対象項目名】００１４
【補正方法】変更
【補正の内容】
【００１４】
前記回数取得手段には、前記閲覧履歴データベースから過去の所定の期間において前記ウェブページが前記ユーザによって閲覧された回数を取得させることができる。
【手続補正９】
【補正対象書類名】明細書
【補正対象項目名】００１５
【補正方法】変更
【補正の内容】
【００１５】
前記生成手段には、前記相当数の前記価値の基準を表す日常利用商品／サービスの画像を表示させる前記表示データを生成させ、
前記送信手段には、前記表示データが含まれる前記ウェブページのデータを前記ユーザの前記端末装置に送信させることができる。
前記表示データは、前記使用当たり価格、前記相当数、前記価値の基準を表す日常利用商品／サービスに関する情報、及び前記価値の基準を表す日常利用商品／サービスの価格を含んでいてもよい。
【手続補正１０】
【補正対象書類名】明細書
【補正対象項目名】００１６
【補正方法】変更
【補正の内容】
【００１６】
本発明の第２の側面の情報提供方法は、ウェブページの閲覧の履歴が格納されている閲覧履歴データベースから所定の商品を販売するための所定のウェブページが所定のユーザによって閲覧された回数を取得する回数取得ステップと、仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出ステップと、前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出ステップと、前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成ステップと、前記表示データが含まれる前記ウェブページのデータを前記ユーザの端末装置に送信する送信ステップとを含む。
【手続補正１１】
【補正対象書類名】明細書
【補正対象項目名】００１７
【補正方法】変更
【補正の内容】
【００１７】
本発明の第２の側面のプログラムは、ウェブページの閲覧の履歴が格納されている閲覧履歴データベースから所定の商品を販売するための所定のウェブページが所定のユーザによって閲覧された回数を取得する回数取得ステップと、仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出ステップと、前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出ステップと、前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成ステップと、前記表示データが含まれる前記ウェブページのデータを前記ユーザの端末装置に送信する送信ステップとを含む処理をコンピュータに実行させる。
【手続補正１２】
【補正対象書類名】明細書
【補正対象項目名】００１８
【補正方法】変更
【補正の内容】
【００１８】
本発明の第２の側面においては、ウェブページの閲覧の履歴が格納されている閲覧履歴データベースから所定の商品を販売するための所定のウェブページが所定のユーザによって閲覧された回数が取得され、仮に設定された前記商品の使用見込み回数であって、閲覧の回数が増える毎に増加する使用見込み回数で、前記商品の価格を割り算することにより得られる、前記商品の１回の使用に応じた使用当たり価格が算出され、前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数が算出され、前記使用見込み回数だけ前記商品が使用されると仮定した場合、１回の使用当たりの前記商品の価格が前記価値の基準を表す日常利用商品／サービスの前記相当数分に相当することを表示させる表示データが生成され、前記表示データが含まれる前記ウェブページのデータが前記ユーザの端末装置に送信される。
【手続補正１３】
【補正対象書類名】明細書
【補正対象項目名】００２４
【補正方法】変更
【補正の内容】
【００２４】
本発明の第１の側面の情報提供装置は、ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定手段（例えば、図３の判定部８１）と、前記判定手段において前記ウェブページが前記ユーザによって過去に閲覧されていないと判定された場合、予め定められた第１の演算により第１の価格を算出する価格算出手段（例えば、図３の区間価格計算部８３）と、前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出手段（例えば、図３の基礎物品相当数計算部８５）と、前記第１の価格が前記価値の基準を表す日常利用商品／サービスの前記第１の相当数分に相当することを表示させる第１の表示データを生成する生成手段（例えば、図３の表示データ生成部８６）と、前記第１の表示データが含まれる前記ウェブページのデータを前記ユーザの端末装置に送信する送信手段（例えば、図３のWebサーバ機能６１）とを備え、前記価格算出手段は、前記判定手段において前記ウェブページが前記ユーザによって過去に閲覧されたと判定された場合、予め定められた第２の演算により第２の価格を算出し、前記相当数算出手段は、前記価値の基準を表す日常利用商品／サービスの価格で前記第２の価格を割り算することで、前記第２の価格に前記価値の基準を表す日常利用商品／サービスが相当する数である第２の相当数を算出し、前記生成手段は、前記第２の価格が前記価値の基準を表す日常利用商品／サービスの前記第２の相当数分に相当することを表示させる第２の表示データを生成し、前記送信手段は、前記第２の表示データが含まれる前記ウェブページのデータを前記ユーザの前記端末装置に送信する。
【手続補正１４】
【補正対象書類名】明細書
【補正対象項目名】００２５
【補正方法】変更
【補正の内容】
【００２５】
本発明の第１の側面の情報提供方法は、ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定ステップ（例えば、図５のステップＳ１３の手続き）と、前記判定ステップにおいて前記ウェブページが前記ユーザによって過去に閲覧されていないと判定された場合、予め定められた第１の演算により第１の価格を算出する価格算出ステップ（例えば、図５のステップＳ２０の手続き）と、前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出ステップ（例えば、図５のステップＳ２３の手続き）と、前記第１の価格が前記価値の基準を表す日常利用商品／サービスの前記第１の相当数分に相当することを表示させる第１の表示データを生成する生成ステップ（例えば、図５のステップＳ２４の手続き）と、前記第１の表示データが含まれる前記ウェブページのデータを前記ユーザの端末装置に送信する送信ステップ（例えば、図５のステップＳ２５の手続き）とを含み、前記価格算出ステップにおいて、前記判定ステップにおいて前記ウェブページが前記ユーザによって過去に閲覧されたと判定された場合、予め定められた第２の演算により第２の価格が算出され、前記相当数算出ステップにおいて、前記価値の基準を表す日常利用商品／サービスの価格で前記第２の価格を割り算することで、前記第２の価格に前記価値の基準を表す日常利用商品／サービスが相当する数である第２の相当数が算出され、前記生成ステップにおいて、前記第２の価格が前記価値の基準を表す日常利用商品／サービスの前記第２の相当数分に相当することを表示させる第２の表示データが生成され、前記送信ステップにおいて、前記第２の表示データが含まれる前記ウェブページのデータが前記ユーザの前記端末装置に送信される。
【手続補正１５】
【補正対象書類名】明細書
【補正対象項目名】００２６
【補正方法】変更
【補正の内容】
【００２６】
本発明の第１の側面のプログラムは、ウェブページの閲覧の履歴が格納されている閲覧履歴データベースからウェブページを特定するウェブページ特定情報とユーザを特定するユーザ特定情報とをキーとして読み出された履歴を参照して、所定の商品を販売するための所定のウェブページが所定のユーザによって過去に閲覧されたか否かを判定する判定ステップ（例えば、図５のステップＳ１３の手続き）と、前記判定ステップにおいて前記ウェブページが前記ユーザによって過去に閲覧されていないと判定された場合、予め定められた第１の演算により第１の価格を算出する価格算出ステップ（例えば、図５のステップＳ２０の手続き）と、前記商品に対応して価値の基準を表す日常利用商品／サービス及びその価格が予め決められており、当該価値の基準を表す日常利用商品／サービスの価格で前記第１の価格を割り算することで、前記第１の価格に前記価値の基準を表す日常利用商品／サービスが相当する数である第１の相当数を算出する相当数算出ステップ（例えば、図５のステップＳ２３の手続き）と、前記第１の価格が前記価値の基準を表す日常利用商品／サービスの前記第１の相当数分に相当することを表示させる第１の表示データを生成する生成ステップ（例えば、図５のステップＳ２４の手続き）と、前記第１の表示データが含まれる前記ウェブページのデータを前記ユーザの端末装置に送信する送信ステップ（例えば、図５のステップＳ２５の手続き）とを含み、前記価格算出ステップにおいて、前記判定ステップにおいて前記ウェブページが前記ユーザによって過去に閲覧されたと判定された場合、予め定められた第２の演算により第２の価格が算出され、前記相当数算出ステップにおいて、前記価値の基準を表す日常利用商品／サービスの価格で前記第２の価格を割り算することで、前記第２の価格に前記価値の基準を表す日常利用商品／サービスが相当する数である第２の相当数が算出され、前記生成ステップにおいて、前記第２の価格が前記価値の基準を表す日常利用商品／サービスの前記第２の相当数分に相当することを表示させる第２の表示データが生成され、前記送信ステップにおいて、前記第２の表示データが含まれる前記ウェブページのデータが前記ユーザの前記端末装置に送信される処理をコンピュータに実行させる。
【手続補正１６】
【補正対象書類名】明細書
【補正対象項目名】００２７
【補正方法】変更
【補正の内容】
【００２７】
本発明の第２の側面の情報提供装置は、ウェブページの閲覧の履歴が格納されている閲覧履歴データベースから所定の商品を販売するための所定のウェブページが所定のユーザによって閲覧された回数を取得する回数取得手段（例えば、図１０の閲覧回数処理部１６１）と、仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出手段（例えば、図１０の使用当たり価格計算部１６３）と、前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出手段（例えば、図１０の基礎物品相当数計算部１６４）と、前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成手段（例えば、図１０の表示データ生成部１６５）と、前記表示データが含まれる前記ウェブページのデータを前記ユーザの端末装置に送信する送信手段（例えば、図１０のWebサーバ機能６１）とを備える。
【手続補正１７】
【補正対象書類名】明細書
【補正対象項目名】００２８
【補正方法】変更
【補正の内容】
【００２８】
本発明の第２の側面の情報提供方法は、ウェブページの閲覧の履歴が格納されている閲覧履歴データベースから所定の商品を販売するための所定のウェブページが所定のユーザによって閲覧された回数を取得する回数取得ステップ（例えば、図１１のステップＳ７２の手続き）と、仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出ステップ（例えば、図１１のステップＳ７５の手続き）と、前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出ステップ（例えば、図１１のステップＳ７７の手続き）と、前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成ステップ（例えば、図１１のステップＳ７８の手続き）と、前記表示データが含まれる前記ウェブページのデータを前記ユーザの端末装置に送信する送信ステップ（例えば、図１１のステップＳ７９の手続き）とを含む。
【手続補正１８】
【補正対象書類名】明細書
【補正対象項目名】００２９
【補正方法】変更
【補正の内容】
【００２９】
本発明の第２の側面のプログラムは、ウェブページの閲覧の履歴が格納されている閲覧履歴データベースから所定の商品を販売するための所定のウェブページが所定のユーザによって閲覧された回数を取得する回数取得ステップ（例えば、図１１のステップＳ７２の手続き）と、仮に設定された前記商品の使用見込み回数であって、閲覧の回数が増える毎に増加する使用見込み回数で、前記商品の価格を割り算することにより得られる、前記商品の１回の使用に応じた使用当たり価格を算出する価格算出ステップ（例えば、図１１のステップＳ７５の手続き）と、前記商品に対応して価値の基準を表す日常利用商品／サービス及びその価格が予め決められており、当該価値の基準を表す日常利用商品／サービスの価格で前記使用当たり価格を割り算することで、前記使用当たり価格に前記価値の基準を表す日常利用商品／サービスが相当する数である相当数を算出する相当数算出ステップ（例えば、図１１のステップＳ７７の手続き）と、前記使用見込み回数だけ前記商品が使用されると仮定した場合、１回の使用当たりの前記商品の価格が前記価値の基準を表す日常利用商品／サービスの前記相当数分に相当することを表示させる表示データを生成する生成ステップ（例えば、図１１のステップＳ７８の手続き）と、前記表示データが含まれる前記ウェブページのデータを前記ユーザの端末装置に送信する送信ステップ（例えば、図１１のステップＳ７９の手続き）とを含む処理をコンピュータに実行させる。
【手続補正１９】
【補正対象書類名】明細書
【補正対象項目名】００８８
【補正方法】変更
【補正の内容】
【００８８】
判定部１２１は、所定の商品を販売するための所定のウェブページが所定のユーザによって過去に閲覧されたか否かを判定する。使用回数計算部１２２は、所定のウェブページが所定のユーザによって過去に閲覧された回数に応じて、仮定の使用見込み回数を計算する。使用当たり価格計算部１２３は、耐用年数の第１の区間（本実施形態では、１年間）あたりの商品の価格を、仮定した使用見込み回数で割り算することで、使用見込み回数に応じた商品の価格である使用当たり価格を計算する。
【手続補正２０】
【補正対象書類名】明細書
【補正対象項目名】００８９
【補正方法】変更
【補正の内容】
【００８９】
使用間隔計算部１２４は、第１の区間（本実施形態では、１年間）を使用見込み回数で割り算することで、使用間隔を計算する。基礎物品相当数計算部１２５は、使用当たり価格を基礎物品の価格で割り算することで、基礎物品相当数を算出する。表示データ生成部１２６は、使用間隔と、使用当たり価格が基礎物品相当数の基礎物品に相当することを表示させる表示データを生成する。閲覧回数記録制御部１２７は、所定のウェブページが所定のユーザによって過去に閲覧された回数を求めて、その回数を閲覧履歴データベース６７に記録させる。
【手続補正２１】
【補正対象書類名】明細書
【補正対象項目名】００９４
【補正方法】変更
【補正の内容】
【００９４】
ステップＳ４５において、使用当たり価格計算部１２３は、耐用年数を第１の区間で割って得られる数で商品の価格を割り算することで、耐用年数の第１の区間（本実施形態では、１年）当たりの商品の価格である期間単価を計算する。ステップＳ４６において、使用当たり価格計算部１２３は、リクエストされたウェブページを特定するページIDと商品IDと期間単価とを対応付けて、閲覧履歴データベース６７に格納する。ステップＳ４７において、使用回数計算部１２２は、使用見込み回数を１にして、手続きはステップＳ５０に進む。
【手続補正２２】
【補正対象書類名】明細書
【補正対象項目名】００９６
【補正方法】変更
【補正の内容】
【００９６】
ステップＳ４９において、使用回数計算部１２２は、ウェブページが閲覧された回数に所定の関数を適用して、１より多い使用見込み回数を計算して、手続きはステップＳ５０に進む。例えば、使用回数計算部１２２は、ウェブページが閲覧された回数に１を加算することで、使用見込み回数を計算する。また、例えば、使用回数計算部１２２は、予め定められた配列（1,2,12,26,52,104,・・・）から、ウェブページが閲覧された回数と同じ要素番号の要素を抽出して、抽出された要素を使用見込み回数とする。
【手続補正２３】
【補正対象書類名】明細書
【補正対象項目名】００９７
【補正方法】変更
【補正の内容】
【００９７】
ステップＳ５０において、使用当たり価格計算部１２３は、期間単価を使用見込み回数で割り算して得られる値を使用当たり価格とする。ステップＳ５１において、使用間隔計算部１２４は、第１の区間（本実施形態では、１年間）を使用見込み回数で割り算して得られる値を使用間隔とする。例えば、使用見込み回数が、それぞれ、1,2,12,26,52,104である場合、使用間隔は、それぞれ、１年間、半年間、１月間、２週間、１週間、１／２週間とされる。
【手続補正２４】
【補正対象書類名】明細書
【補正対象項目名】０１０２
【補正方法】変更
【補正の内容】
【０１０２】
例えば、図４に例示されている、eeeである商品IDで特定される、ガネル製のドレスが掲載されているウェブページが初めてユーザに閲覧された場合、使用見込み回数が１とされ、使用間隔が１年とされ、使用当たり価格が10,000円とされ、300円のコーヒーが基礎物品とされるので、その基礎物品相当数は、３３．３杯とされる。従って、100,000円である商品価格と共に、１年間である使用間隔（もしくは、１年間に使用される回数である１回）、300円である基礎物品価格、コーヒーである基礎物品名、および３３．３杯である基礎物品相当数、並びに３３．３杯分の基礎物品の画像（コーヒーカップの画像）が、ガネル製のドレスが掲載されているウェブページに表示されることになる。
【手続補正２５】
【補正対象書類名】明細書
【補正対象項目名】０１０３
【補正方法】変更
【補正の内容】
【０１０３】
さらに、ユーザが同じウェブページを再度閲覧すると、例えば、使用見込み回数が２とされるので、使用間隔が１年とされ、使用当たり価格が5,000円とされ、300円のコーヒーが基礎物品とされるので、その基礎物品相当数は、１６．７杯とされる。従って、100,000円である商品価格と共に、半年間である使用間隔（もしくは、１年間に使用される回数である２回）、300円である基礎物品価格、コーヒーである基礎物品名、および１６．７杯である基礎物品相当数、並びに１６．７杯分の基礎物品の画像（コーヒーカップの画像）が、ガネル製のドレスが掲載されているウェブページに表示されることになる。
【手続補正２６】
【補正対象書類名】明細書
【補正対象項目名】０１０４
【補正方法】変更
【補正の内容】
【０１０４】
例えば、このウェブページが繰り返し閲覧される場合、ステップＳ４９において、使用回数計算部１２２が、予め定められた配列（1,2,12,26,52,104,・・・）から、ウェブページが閲覧された回数と同じ要素番号の要素を抽出して、抽出された要素を使用見込み回数とするとき、ウェブページが３回目に閲覧されたときには、１月間である使用間隔（もしくは、１年間に使用される回数である１２回）、300円である基礎物品価格、コーヒーである基礎物品名、および２．８杯である基礎物品相当数、並びに２．８杯分の基礎物品の画像（コーヒーカップの画像）が表示され、ウェブページが４回目に閲覧されたときには、2週間である使用間隔（もしくは、１年間に使用される回数である２６回）、300円である基礎物品価格、コーヒーである基礎物品名、および１．３杯である基礎物品相当数、並びに１．３杯分の基礎物品の画像（コーヒーカップの画像）が表示され、ウェブページが５回目に閲覧されたときには、１週間である使用間隔（もしくは、１年間に使用される回数である５２回）、300円である基礎物品価格、コーヒーである基礎物品名、および０．６杯である基礎物品相当数、並びに０．６杯分の基礎物品の画像（コーヒーカップの画像）が表示される。
【手続補正２７】
【補正対象書類名】明細書
【補正対象項目名】０１０９
【補正方法】変更
【補正の内容】
【０１０９】
相当数表示制御部１４１は、商品の使用見込み回数を仮定して、その１回当たりの使用に応じた商品の価格を計算し、その１回当たりの使用に応じた商品の価格と基礎物品の価格とから基礎物品相当数を算出する。
【手続補正２８】
【補正対象書類名】明細書
【補正対象項目名】０１１０
【補正方法】変更
【補正の内容】
【０１１０】
例えば、本来の価格が１０万円である商品を購入して、その商品を１０回使用する場合には、その商品の１回の使用に１万円ずつ支払ったと考えることもできる。同様に、商品の使用見込み回数を考えると、商品の価格を使用見込み回数で割り算することで、その商品の１回当たりの使用について支払う価格を考えることができる。
【手続補正２９】
【補正対象書類名】明細書
【補正対象項目名】０１１３
【補正方法】変更
【補正の内容】
【０１１３】
使用回数計算部１６２は、所定のウェブページが所定のユーザによって過去に閲覧された回数に応じて、仮定の使用見込み回数を計算する。使用当たり価格計算部１６３は、商品の価格を仮定した使用見込み回数で割り算することで、1回の使用当たりの商品の価格である使用当たり価格を計算する。
【手続補正３０】
【補正対象書類名】明細書
【補正対象項目名】０１１４
【補正方法】変更
【補正の内容】
【０１１４】
基礎物品相当数計算部１６４は、使用当たり価格を基礎物品の価格で割り算することで、基礎物品相当数を算出する。表示データ生成部１６５は、使用見込み回数と、１回の使用当たり価格が基礎物品の基礎物品相当数分に相当することを表示させる表示データを生成する。
【手続補正３１】
【補正対象書類名】明細書
【補正対象項目名】０１１７
【補正方法】変更
【補正の内容】
【０１１７】
ステップＳ７３において、使用回数計算部１６２は、ウェブページが閲覧された回数に所定の関数を適用して、使用見込み回数を計算する。例えば、使用回数計算部１６２は、予め定められた配列（1,2,5,10,20,50,・・・）から、ウェブページが閲覧された回数と同じ要素番号の要素を抽出して、抽出された要素を使用見込み回数とする。
【手続補正３２】
【補正対象書類名】明細書
【補正対象項目名】０１２０
【補正方法】変更
【補正の内容】
【０１２０】
ステップＳ７５において、使用当たり価格計算部１６３は、商品の価格を使用見込み回数で割り算して得られる値を使用当たり価格とする。
【手続補正３３】
【補正対象書類名】明細書
【補正対象項目名】０１２２
【補正方法】変更
【補正の内容】
【０１２２】
ステップＳ７８において、表示データ生成部１６５は、使用見込み回数と、1回の使用当たりの商品の価格が、基礎物品の基礎物品相当数分に相当することとを表示するためのデータを生成する。表示データ生成部１６５は、生成したデータをページデータ生成部６２に供給する。ページデータ生成部６２は、本来のウェブページのデータに、相当数表示制御部１４１の表示データ生成部１６５から供給されたデータを含める。ページデータ生成部６２は、使用見込み回数と、1回の使用当たりの商品の価格が、基礎物品の基礎物品相当数分に相当することとを表示するためのデータを含む、ウェブページのデータをWebサーバ機能６１に供給する。
【手続補正３４】
【補正対象書類名】明細書
【補正対象項目名】０１２５
【補正方法】変更
【補正の内容】
【０１２５】
例えば、図４に例示されている、eeeである商品IDで特定される、ガネル製のドレスが掲載されているウェブページが初めてユーザに閲覧された場合、使用見込み回数が１とされ、1回の使用当たり価格が100,000円とされ、300円のコーヒーが基礎物品とされる。従って、その基礎物品相当数は、３３３．３杯とされるので、100,000円である商品価格と共に、１回である使用見込み回数、300円である基礎物品価格、コーヒーである基礎物品名、および３３３．３杯である基礎物品相当数、並びに３３３．３杯分の基礎物品の画像（コーヒーカップの画像）が、ガネル製のドレスが掲載されているウェブページに表示されることになる。
【手続補正３５】
【補正対象書類名】明細書
【補正対象項目名】０１２６
【補正方法】変更
【補正の内容】
【０１２６】
さらに、ユーザが同じウェブページを再度閲覧すると、例えば、使用見込み回数が２とされるので、1回の使用当たり価格が50,000円とされ、300円のコーヒーが基礎物品とされるので、その基礎物品相当数は、１６６．７杯とされる。従って、100,000円である商品価格と共に、2回である使用見込み回数、300円である基礎物品価格、コーヒーである基礎物品名、および１６６．７杯である基礎物品相当数、並びに１６６．７杯分の基礎物品の画像（コーヒーカップの画像）が、ガネル製のドレスが掲載されているウェブページに表示されることになる。
【手続補正３６】
【補正対象書類名】明細書
【補正対象項目名】０１２７
【補正方法】変更
【補正の内容】
【０１２７】
例えば、このウェブページが繰り返し閲覧される場合、ステップＳ７３において、使用回数計算部１６２が、予め定められた配列（1,2,5,10,20,50,・・・）から、ウェブページが閲覧された回数と同じ要素番号の要素を抽出して、抽出された要素を使用見込み回数とするとき、ウェブページが３回目に閲覧されたときには、5回である使用見込み回数、300円である基礎物品価格、コーヒーである基礎物品名、および６６．７杯である基礎物品相当数、並びに６６．７杯分の基礎物品の画像（コーヒーカップの画像）が表示され、ウェブページが４回目に閲覧されたときには、１０回である使用見込み回数、300円である基礎物品価格、コーヒーである基礎物品名、および３３．３杯である基礎物品相当数、並びに３３．３杯分の基礎物品の画像（コーヒーカップの画像）が表示され、ウェブページが５回目に閲覧されたときには、２０回である使用見込み回数、300円である基礎物品価格、コーヒーである基礎物品名、および１６．７杯である基礎物品相当数、並びに１６．７杯分の基礎物品の画像（コーヒーカップの画像）が表示される。
【手続補正３７】
【補正対象書類名】明細書
【補正対象項目名】０１２８
【補正方法】変更
【補正の内容】
【０１２８】
また同様に、このウェブページが６回目に閲覧されたときには、５０回である使用見込み回数、300円である基礎物品価格、コーヒーである基礎物品名、および６．７杯である基礎物品相当数、並びに６．７杯分の基礎物品の画像（コーヒーカップの画像）が表示される。
【手続補正３８】
【補正対象書類名】明細書
【補正対象項目名】０１３２
【補正方法】変更
【補正の内容】
【０１３２】
さらに、所定の商品を販売するための所定のウェブページが所定のユーザによって閲覧された回数を取得し、仮に求める商品の使用見込み回数であって、閲覧の回数が増える毎に増加する使用見込み回数で、商品の価格を割り算することにより得られる、商品の１回の使用に応じた使用当たり価格を算出し、商品に対応して予め決められている基礎物品の価格で使用当たり価格を割り算することで、使用当たり価格を基礎物品の相当する数で表す基礎物品相当数を算出し、使用見込み回数だけ商品が使用されると仮定した場合、１回の使用当たりの商品の価格が基礎物品相当数の基礎物品に相当することを表示させる表示データが含まれるウェブページのデータをユーザの端末装置に送信するようにした場合には、繰り返し閲覧した商品の価格の計算単位を変化させて表示することにより、ユーザに商品の価値を実感させやすくすることができる。